(57)【要約】      （修正有）【課題】リモコン通信による家電機器の制御機能を備えた掃除ロボットとの連携により、盗難、火災、地震などの異常検出に伴う警報以外の異常対処制御を簡単且つ容易に実現可能とする。【解決手段】サーバ１８は、開閉検出器２４から監視領域への不審者の侵入検出により送信した盗難検出信号を受信した場合に、利用者の携帯電話２２へ盗難報知信号を送信して盗難警報を報知し、侵入者を威嚇するためのテレビの電源オン、電源オフ、音量変化及び又はチャンネル切替えなどを指示する盗難対処指示信号をスマート掃除ロボット１０へ送信する。スマート掃除ロボット１０は、リモコンユニット３０を備え、サーバ１８から盗難対処指示信号を受信した場合に、リモコンユニット３０からリモコン信号を送信して、電源オンと電源オフ、音量変化、及び又はチャンネル切替によるテレビ３２の異常な動作により侵入者を威嚇して退去を促す。【選択図】図１
2014153972.tif 000002
【特許請求の範囲】
【請求項１】
ネットワークを介して相互に信号を送受信する、異常検出手段、移動体手段、利用者端末手段及びサーバ手段を備え、
前記異常検出手段は、監視領域における所定の異常を検出して異常検出信号を前記サーバ手段へ送信し、
前記サーバ手段は、前記異常検出手段から異常検出信号を受信した場合に、前記利用者端末手段へ異常報知信号を送信すると共に、所定の家電機器による所定の対処制御を指示する対処指示信号を移動体手段へ送信し、
前記移動体手段は、前記家電機器をリモコン信号の送信により制御するリモコン制御手段を備え、前記監視領域を含む所定の作業領域を自立走行しながら所定の作業を行うと共に、前記サーバ手段から前記対処指示信号を受信した場合に、前記リモコン制御手段により前記対処指示信号に基づくリモコン信号を前記監視領域の家電機器へ送信して前記所定の対処制御を行わせる、
ことを特徴とする警報システム。
【請求項２】
請求項１記載の警報システムに於いて、
前記サーバ手段は、前記異常検出手段から異常検出信号を受信した場合に、所定の対処制御を行う場所へ移動させるための移動指示信号を前記移動体手段へ送信し、前記移動体手段から移動完了信号を受信した場合に、前記対処指示信号を前記移動体手段に送信し、
前記移動体手段は、前記サーバ手段から移動指示信号を受信した場合に当該移動指示信号により指示された場所に移動して移動完了信号を前記サーバ手段へ送信し、前記サーバ手段から対処指示信号を受信した場合に、前記リモコン制御手段により対処指示信号に基づくリモコン信号を監視領域の家電機器へ送信して所定の対処制御を行うことを特徴とする警報システム。
【請求項３】
請求項１記載の警報システムに於いて、
前記異常検出手段は、監視領域への不審者の侵入に伴う所定の異常を検出して盗難検出信号を前記サーバ手段へ送信し、
前記サーバ手段は、前記異常検出手段から盗難検出信号を受信した場合に、前記利用者端末手段へ盗難報知信号を送信すると共に、所定の家電機器による所定の盗難対処制御を指示する盗難対処指示信号を前記移動体手段へ送信し、
前記移動体手段は、前記サーバ手段から前記盗難対処指示信号を受信した場合に、前記リモコン制御手段により前記盗難対処指示信号に基づくリモコン信号を前記監視領域の家電機器へ送信して前記盗難対処制御を行わせる、
ことを特徴とする警報システム。
【請求項４】
請求項３記載の警報システムに於いて、前記サーバ手段は、所定の家電機器により侵入者を威嚇する所定の盗難対処制御を指示する盗難対処指示信号を前記移動手段に送信することを特徴とする警報システム。
【請求項５】
請求項４記載の警報システムに於いて、
前記家電機器としてテレビを設置している場合、前記サーバ手段は、前記テレビの電源オンと電源オフ、音量変化、及び又はチャンネル切替えを指示する盗難対処指示信号を送信して侵入者を威嚇し、
前記家電機器として照明機器を設置している場合、前記サーバ手段は、前記照明機器の点灯と消灯、及び又は明るさ変化を指示する盗難対処指示信号送信して侵入者を威嚇し、
前記家電機器としてエアコンを設置している場合、前記サーバ手段は、前記エアコンの運転と停止、及び又は風量変化を指示する盗難対処指示信号を送信して侵入者を威嚇することを特徴とする警報システム。
【請求項６】
請求項１記載の警報システムに於いて、
前記異常検出手段は、監視領域の火災を検出して火災検出信号を前記サーバ手段へ送信し、
前記サーバ手段は、前記異常検出手段から火災検出信号を受信した場合に、前記利用者端末手段へ火災報知信号を送信すると共に、所定の家電機器による所定の火災対処制御を指示する火災対処指示信号を前記移動体手段へ送信し、
前記移動体手段は、前記サーバ手段から前記火災対処指示信号を受信した場合に、前記リモコン制御手段により前記火災対処指示信号に基づくリモコン信号を前記監視領域の家電機器へ送信して前記火災対処制御を行わせる、
ことを特徴とする警報システム。
【請求項７】
請求項６記載の警報システムに於いて、前記家電機器として照明機器を設置している場合、前記サーバ手段は、前記照明機器の点灯を指示する火災対処指示信号を送信して避難路を照明することを特徴とする警報システム。
【請求項８】
請求項１記載の警報システムに於いて、
前記異常検出手段は、地震及び又は地震情報を検出して地震検出信号を前記サーバ手段へ送信し、
前記サーバ手段は、前記異常検出手段から地震検出信号を受信した場合に、前記利用者端末手段へ地震報知信号を送信すると共に、所定の家電機器による所定の地震対処制御を指示する地震対処指示信号を前記移動体手段へ送信し、
前記移動体手段は、前記サーバ手段から前記地震対処指示信号を受信した場合に、前記リモコン制御手段により前記地震対処指示信号に基づくリモコン信号を前記監視領域の家電機器へ送信して地震対処制御を行わせる、
ことを特徴とする警報システム。
【請求項９】
請求項８記載の警報システムに於いて、
前記家電機器として照明機器を設置している場合、前記サーバ手段は、前記照明機器の点灯を指示する地震対処指示信号を送信して避難路を照明し、
前記家電機器としてテレビを設置している場合、前記サーバ手段は、前記テレビの電源オンを指示する地震対処指示信号を送信して地震情報を受信表示させる、
ことを特徴とする警報システム。
【請求項１０】
請求項８記載の警報システムに於いて、前記異常検出手段は、前記地震情報として、緊急警報放送、緊急地震速報又は津波警報放送の受信を検出して地震検出信号を送信することを特徴とする警報システム。
【請求項１１】
請求項８記載の警報システムに於いて、前記異常検出手段は、所定震度以上の地震振動を感知した場合に地震検出信号を送信することを特徴とする警報システム。
【発明の詳細な説明】
【技術分野】
【０００１】
本発明は、盗難、火災、地震などの異常を検出した場合に、ネットワークの通信機能を利用した掃除ロボット等の移動体との連携により家電機器をリモコン信号により制御して異常に対処する警報システムに関する。
【背景技術】
【０００２】
従来、不審者の侵入を検出して盗難警報を出力する防犯監視システム、火災を検出して警報する火災警報システム、緊急地震速報、緊急警報放送、津波警報放送などを検出して自動受信する地震警報システムが一般住宅、共同住宅、公共施設などに設置され、実用化されている。
【０００３】
例えば住宅に設置する防犯監視システムは、外に面した部屋の窓などに例えばマグネット式の開閉検出器を設置し、外出する場合には、居間等に設置した監視装置を外出警戒モードにセットすると、警戒状態となり、警戒状態で不審者が窓を開けて中に侵入しようとすると、開閉検出器が窓の開放を検出して盗難検出信号を監視装置に無線送信し、これを受信して監視装置は大音量の警報音を出力して威嚇することで、不審者の侵入を未然に防ぐようにしている。
【０００４】
また、近年の防犯監視システムにあっては、盗難を検出した場合に警報音を出力すると共に、携帯電話網を経由して利用者の携帯電話に盗難通知メールを送信し、利用者が異常を知って適切に対処することを可能としている。
【０００５】
また、住宅等における火災を検出して警報する警報器が普及しており、このうち、住宅用火災警報器を住警器と言う。
【０００６】
例えば、このような住警器にあっては、電池電源で動作し、住警器内に火災を検出するセンサ部と火災を警報する警報部を一体に備え、センサ部の検出信号に基づき火災を検出すると警報部から火災警報音を出力するようにしており、所謂自動火災報知設備のように受信機等を必要とせず住警器単体で火災監視と警報報知ができることから、設置が簡単でコスト的にも安価であり、一般住宅での設置義務化に伴い広く普及している。
【０００７】
また、複数の住警器間で無線通信を行うようにし、任意の住警器で火災を検出して火災警報音を出力すると無線通信を行うことによって他の住警器でも連動して火災警報音を出力させる無線連動型の住警器も実用化され、普及している。
【０００８】
また、緊急地震速報、緊急警報放送及び津波警報放送に対応して専用の受信機として機能する緊急警報受信機が実用化され、普及している。例えば緊急地震速報は、推定最大震度５弱以上で発表となり、テレビ放送、ＦＭ放送及びＡＭ放送により緊急地震速報信号を送信し、強い揺れが予想される地域に対し、地震動により重大な災害が起こるおそれのある旨を警告する。
【０００９】
緊急警報受信機は、例えば特定のＦＭラジオ放送を選局して受信待機状態にあり、緊急地震速報が所定のチャイム音を２回流した後に例えば「緊急地震放送です。強い揺れに警戒してください」という自動音声を２回流すことから、例えば最初のチャイム音を解析して緊急地震速報信号を検出して放送再生動作を起動し、チャイム音に続く自動音声をスピーカから設定音量で出力して地震発生を知らせるようにしている。
【００１０】
一方、住宅等における掃除を自立走行により行う掃除ロボットが実用化され、その普及が始まっている。このような掃除ロボットにあっては、自立走行による掃除機能に加え、カメラやマイク、スピーカといった入出力デバイスを備え、無線ＬＡＮ通信機能により、各入出力デバイスをインターネット等の外部ネットワーク上のサーバと連携可能とし、利用者の保有するスマートフォン等の携帯端末を利用し、掃除ロボットとの間で様々なコミュニケーションを行うことを可能とし、所謂スマート掃除ロボットを実現可能としている。
【００１１】
また、スマート掃除ロボットにテレビ、エアコン、照明機器などの家電機器をリモコン通信（赤外線通信）により制御可能なリモコンユニットを搭載し、利用者の携帯電話からの操作に基づくサーバからの指示により、スマート掃除ロボットのリモコンユニットからリモコン信号を送信して例えばエアコンの運転や停止、照明機器の点灯や消灯を遠隔的に操作可能としている。
【先行技術文献】
【特許文献】
【００１２】
【特許文献１】特開２００７−０９４７１９号公報
【特許文献２】実用新案登録第３１４３１３９号公報
【特許文献３】特開２００９−１４０２３６号公報
【特許文献４】特許第３３８７８１６号公報
【特許文献５】特開２００７−１５６８８４号公報
【発明の概要】
【発明が解決しようとする課題】
【００１３】
ところで、このような従来の防犯監視システム、火災警報システム、地震警報システム等の警報システムにあっては、盗難、火災、地震などの異常を検出して警報を出力し、利用者に異常を報知することで対処しているが、警報以外の対処を行うことが望まれる。
【００１４】
例えば不審者の侵入を検出して盗難警報を出力した場合には、何らかの手法により侵入者が居られない状況を作り出して退去させるような対処制御が望まれる。また、夜間に火災や地震を検出して警報した場合には、居住者が安全に避難できるような環境の構築を支援する対処制御が望まれる。
【００１５】
しかしながら、警報以外の対処制御を行うためには、対処制御の内容に対応した専用の機器の開発が必要であり、警報システムに加え異常対処制御に必要な機器を設けることはコスト上昇を招き、実用化しても中々普及しないという問題がある。
【００１６】
本発明は、リモコン通信による家電機器の制御機能を備えた掃除ロボットとの連携により、盗難、火災、地震などの異常検出に伴う警報以外の異常対処制御を簡単且つ容易に実現可能とする警報システムを提供することを目的とする。
【課題を解決するための手段】
【００１７】
（警報システム）
本発明は、警報システムに於いて、
ネットワークを介して相互に信号を送受信する、異常検出手段、移動体手段、利用者端末手段及びサーバ手段を備え、
異常検出手段は、監視領域における所定の異常を検出して異常検出信号をサーバ手段へ送信し、
サーバ手段は、異常検出手段から異常検出信号を受信した場合に、利用者端末手段へ異常報知信号を送信すると共に、所定の家電機器による所定の対処制御を指示する対処指示信号を移動体手段へ送信し、
移動体手段は、家電機器をリモコン信号の送信により制御するリモコン制御手段を備え、監視領域を含む所定の作業領域を自立走行しながら所定の作業を行うと共に、サーバ手段から対処指示信号を受信した場合に、リモコン制御手段により対処指示信号に基づくリモコン信号を監視領域の家電機器へ送信して所定の対処制御を行わせることを特徴とする。
【００１８】
（対処制御場所への移動）
サーバ手段は、異常検出手段から異常検出信号を受信した場合に、所定の対処制御を行う場所へ移動させるための移動指示信号を移動体手段へ送信し、移動体手段から移動完了信号を受信した場合に、対処指示信号を移動体手段に送信し、
移動体手段は、サーバ手段から移動指示信号を受信した場合に、当該移動指示信号により指示された場所に移動して移動完了信号をサーバ手段へ送信し、サーバ手段から対処指示信号を受信した場合に、リモコン制御手段により対処指示信号に基づくリモコン信号を監視領域の家電機器へ送信して所定の対処制御を行う。
【００１９】
（防犯監視）
異常検出手段は、監視領域への不審者の侵入に伴う所定の異常を検出して盗難検出信号をサーバ手段へ送信し、
サーバ手段は、異常検出手段から盗難検出信号を受信した場合に、利用者端末手段へ盗難報知信号を送信すると共に、所定の家電機器による所定の盗難対処制御を指示する盗難対処指示信号を移動体手段へ送信し、
移動体手段は、サーバ手段から盗難対処指示信号を受信した場合に、リモコン制御手段により盗難対処指示信号に基づくリモコン信号を監視領域の家電機器へ送信して盗難対処制御を行わせる。
【００２０】
（侵入者威嚇指示）
サーバ手段は、所定の家電機器により侵入者を威嚇する所定の盗難対処制御を指示する盗難対処指示信号を移動手段に送信する。
【００２１】
（テレビ・照明・エアコンにより盗難対処制御）
家電機器としてテレビを設置している場合、サーバ手段は、テレビの電源オンと電源オフ、音量変化、及び又はチャンネル切替えを指示する盗難対処指示信号を送信して侵入者を威嚇し、
家電機器として照明機器を設置している場合、サーバ手段は、照明機器の点灯と消灯、及び又は明るさ変化を指示する盗難対処指示信号送信して侵入者を威嚇し、
家電機器としてエアコンを設置している場合、サーバ手段は、エアコンの運転と停止、及び又は風量変化を指示する盗難対処指示信号を送信して侵入者を威嚇する。
【００２２】
（火災対処）
異常検出手段は、監視領域の火災を検出して火災検出信号をサーバ手段へ送信し、
サーバ手段は、異常検出手段から火災検出信号を受信した場合に、利用者端末手段へ火災報知信号を送信すると共に、所定の家電機器による所定の火災対処制御を指示する火災対処指示信号を移動体手段へ送信し、
移動体手段は、サーバ手段から火災対処指示信号を受信した場合に、リモコン制御手段により火災対処指示信号に基づくリモコン信号を監視領域の家電機器へ送信して火災対処制御を行わせる。
【００２３】
（避難路の照明）
家電機器として照明機器を設置している場合、サーバ手段は、照明機器の点灯を指示する火災対処指示信号を送信して避難路を照明する。
【００２４】
（地震対処）
異常検出手段は、地震及び又は地震情報を検出して地震検出信号をサーバ手段へ送信し、
サーバ手段は、異常検出手段から地震検出信号を受信した場合に、利用者端末手段へ地震報知信号を送信すると共に、所定の家電機器による所定の地震対処制御を指示する地震対処指示信号を移動体手段へ送信し、
移動体手段は、サーバ手段から地震対処指示信号を受信した場合に、リモコン制御手段により地震対処指示信号に基づくリモコン信号を監視領域の家電機器へ送信して地震対処制御を行わせる。
【００２５】
（避難路照明とテレビ地震情報の受信）
家電機器として照明機器を設置している場合、サーバ手段は、照明機器の点灯を指示する地震対処指示信号を送信して避難路を照明し、
家電機器としてテレビを設置している場合、サーバ手段は、テレビの電源オンを指示する地震対処指示信号を送信して地震情報を受信表示させる。
【００２６】
（地震と地震情報の検出）
異常検出手段は、地震情報として、緊急警報放送、緊急地震速報又は津波警報放送の受信を検出して地震検出信号をサーバ手段へ送信する。
【００２７】
また、異常検出手段は、所定震度以上の地震振動を感知した場合に地震検出信号をサーバ手段へ送信する。
【発明の効果】
【００２８】
（基本的な効果）
本発明の警報システムによれば、監視領域の異常を異常検出手段で検出してサーバ手段を経由して利用者端末手段へ送信して異常を報知させ、またサーバ手段から移動体手段に所定の家電機器による所定の対処制御を指示する対処指示信号を移動体手段へ送信し、移動体手段は、サーバ手段から対処指示信号を受信した場合に、リモコン制御手段により対処指示信号に基づくリモコン信号を監視領域の家電機器へ送信して所定の対処制御を行わせるようにしたため、移動体手段に設けた家電機器のリモコン制御によるテレビ、エアコン、照明機器といった家電機器を動作して異常に対応した制御を行わせることから、対処制御に必要な機器を新たに開発して設置する必要がなくなり、異常検出による警報以外の対処制御を、移動体手段として機能する掃除ロボットのシステムと連携して簡単且つ容易に、しかも低コストで実現することが可能となる。
【００２９】
（盗難対処制御による効果）
また、異常検出手段から盗難検出信号を受信した場合に、サーバ手段から所定の家電機器による所定の盗難対処制御を指示する盗難対処指示信号を移動体手段へ送信し、移動体手段のリモコン制御手段によりサーバ手段から受信した盗難対処指示信号に基づくリモコン信号を監視領域の家電機器へ送信して、侵入者を威嚇する所定の盗難対処制御、例えばテレビの電源オンと電源オフ、音量変化、及び又はチャンネル切替え、照明機器の点灯と消灯、及び又は明るさ変化、エアコンの運転と停止及び又は風量変化といった日常的にはあまり行われないような異常な動作を反復させることで、例えばうるさ過ぎて侵入者が居られない状況や侵入者を心理的に強く圧迫する状況を作り出し、その行動を抑制して速やかに退去させ、盗難被害を最小限に抑えることを可能とする。
【００３０】
（火災対処制御による効果）
また、異常検出手段から火災検出信号を受信した場合に、サーバ手段から所定の家電機器による所定の火災対処制御を指示する火災対処指示信号を移動体手段へ送信し、移動体手段のリモコン制御手段によりサーバ手段から受信した火災対処指示信号に基づくリモコン信号を監視領域の家電機器へ送信して、例えば照明機器を点灯して避難路を照明し、このため夜間に火災が起きた場合、照明機器の点灯で避難路を明るくし、迅速且つ安全に避難することを可能とする。
【００３１】
（地震対処制御による効果）
また、異常検出手段から地震検出信号を受信した場合に、サーバ手段から所定の家電機器による所定の地震対処制御を指示する地震対処指示信号を移動体手段へ送信し、移動体手段のリモコン制御手段によりサーバ手段から受信した地震対処指示信号に基づくリモコン信号を監視領域の家電機器へ送信して、例えば照明機器を点灯して避難路を照明し、またテレビの電源をオンして地震情報を視聴可能とし、このため夜間に起きたが起きた場合は照明機器の点灯で避難路を明るくし、迅速且つ安全に避難することを可能し、またテレビの電源をオンすることで、そのとき受信している緊急地震速報、緊急地震情報、又は津波警報放送を視聴でき、例えば地震の揺れが続いていて動くことのできない中で、リモコン装置を捜してテレビの電源をオンするような操作を必要とすることなく、テレビを見ることができる。
【図面の簡単な説明】
【００３２】
【図１】住宅を例にとって盗難対処制御を行う警報システムの実施形態を示した説明図
【図２】図１の警報システムを設置した住宅の間取りを示した見取り図
【図３】盗難対処指示信号の生成に使用する家電機器のリモコンコードのリストを示した説明図
【図４】スマート掃除ロボットの機能構成の概略を示したブロック図
【図５】開閉検出器の機能構成の概略を示した説明図
【図６】防犯監視装置の機能構成の概略を示した説明図
【図７】中継アダプタの機能構成の概略を示したブロック図
【図８】図１の盗難対処制御を行う警報システムの動作を示したタイムチャート
【図９】住宅を例にとって火災対処制御を行う警報システムの実施形態を示した説明図
【図１０】図９の警報システムに設けた住警器の機能構成の概略を示したブロック図
【図１１】図９の火災対処制御を行う警報システムの動作を示したタイムチャート
【図１２】住宅を例にとって地震対処制御を行う警報システムの実施形態を示した説明図
【図１３】図１２の警報システムに設けた緊急警報受信機の機能構成の概略を示したブロック図
【図１４】図１２の地震対処制御を行う警報システムの動作を示したタイムチャート
【発明を実施するための形態】
【００３３】
［防犯監視を行う警報システムの構成］
（システム構成の概略）
図１は住宅を例にとって防犯監視を行う警報システムの実施形態を示した説明図である。図１に示すように、本実施形態の警報システムは、無線式の開閉検出器２４、防犯監視装置２６、中継アダプタ２８、リモコンユニット３０を設けたスマート掃除ロボット１０、無線ルータ１２、ゲートウェイ１４、インターネット１６、サーバ１８、携帯電話ネットワーク２０及び携帯電話２２で構成する。
【００３４】
また住宅には、本実施形態の盗難対処制御の制御対象となる家電機器として、リモコン制御機能を備えたテレビ３２、照明機器３４及びエアコン３６を配置している。
【００３５】
ここで、無線式の開閉検出器２４と防犯監視装置２６は盗難警報システムを構成し、スマート掃除ロボット１０、無線ルータ１２、ゲートウェイ１４、インターネット１６、サーバ１８、携帯電話ネットワーク２０及び携帯電話２２はロボットシステムを構成している。
【００３６】
開閉検出器２４は異常検出手段であり、スマート掃除ロボット１０は移動体手段であり、携帯電話２２は利用者端末手段であり、更にサーバ１８はサーバ手段であり、ネットワークを介して相互に信号を送受信する。ネットワークは、盗難警報システムのネットワークと、ロボットシステムのネットワークに分かれており、両者は中継アダプタ２８で結合している。なお、防犯監視装置２６に中継アダプタ２８の機能を持たせても良い。
【００３７】
盗難警報システムのネットワークは、所定の第１通信プロトコルに従って開閉検出器２４、防犯監視装置２６、中継アダプタ２８の間で、通信経路１１で示すように、信号を送受信する。
【００３８】
ロボットシステムのネットワークは、住宅内の内部ネットワークと住宅外の外部ネットワークで構成される。内部ネットワークは、所定の第２通信プロトコルに従ってスマート掃除ロボット１０、無線ルータ１２及び中継アダプタ２８の間で、通信経路１３で示すように、信号を送受信する。外部ネットワークは、インターネット１６と携帯電話ネットワーク２０で構成され、ゲートウェイ１４、サーバ１８及び携帯電話２２の間で所定の通信プロトコルに従って信号を送受信する。
【００３９】
なお、以下の説明にあっては、開閉検出器２４、スマート掃除ロボット１０、サーバ１８及び携帯電話２２の間の信号の送受信については、ネットワークを構成する機器となる中継アダプタ２８、スマート掃除ロボット１０、無線ルータ１２、ゲートウェイ１４、インターネット１６及び携帯電話ネットワーク２０を省略し、単にネットワークと表現する場合がある。
【００４０】
開閉検出器２４は、初期状態では警戒解除状態にあり、防犯監視装置２６における警戒モードの設定操作に基づいて送信された警戒モード設定信号を受信すると警戒状態に移行し、警戒状態で各部屋などの所定の監視領域への不審者の侵入に伴う異常として盗難を検出した場合に、第１通信プロトコルに従った異常検出信号として盗難検出信号を防犯監視装置２６へ送信し、盗難警報を出力させる。また、開閉検出器２４から送信した第１通信プロトコルに従った盗難検出信号は、中継アダプタ２８で第２通信プロトコルに従った盗難検出信号に変換され、無線ルータ１２、ゲートウェイ１４及びインターネット１６となる経路のネットワークを介してサーバ１８へ送信される。
【００４１】
サーバ１８は、開閉検出器２４から送信された盗難検出信号を、ネッワークを経由して受信した場合に、利用者の携帯する携帯電話２２へ盗難報知信号を送信すると共にインターネット１６、ゲートウェイ１４及び無線ルータ１２となるネットワークを経由してスマート掃除ロボット１０へ移動指示信号を送信することにより、盗難を検出した監視領域にスマート掃除ロボット１０を移動させ、スマート掃除ロボット１０から移動完了信号を受信すると、サーバ１８はネットワークを経由してスマート掃除ロボット１０へ家電機器により侵入者を威嚇する所定の動作を指示する盗難対処指示信号を送信する。
【００４２】
サーバ１８から送信する盗難対処指示信号は、所定の家電機器により侵入者を威嚇する所定の盗難対処制御を指示する信号であり、本実施形態は次の３つの指示を可能とする。
【００４３】
（１）住宅にテレビ３２を設置している場合、テレビ３２の電源オンと電源オフ、音量変化、及び又はチャンネル切替えを指示する盗難対処指示信号を送信して侵入者を威嚇する。
【００４４】
（２）住宅に照明機器３４を設置している場合、照明機器３４の点灯と消灯、及び又は明るさ変化を指示する盗難対処指示信号送信して侵入者を威嚇する。
【００４５】
（３）住宅にエアコン３６を設置している場合、エアコン３６の運転と停止、及び又は風量変化を指示する盗難対処指示信号を送信して侵入者を威嚇する。
【００４６】
スマート掃除ロボット１０は、住宅の各部屋などの監視領域を含む所定の作業領域を自立走行しながら所定の清掃作業を行う。また、スマート掃除ロボット１０は、サーバ１８からネットワークを経由して移動指示信号を受信した場合に指示された場所へ移動し、移動完了でサーバ１８へ移動完了信号を送信し、続いてサーバ１８からネットワークを経由して対処指示信号を受信した場合に、前記（１）〜（３）の盗難対処指示信号に基づくリモコン信号を、通信経路１５で示すように、リモコン制御手段として機能するリモコンユニット３０から赤外線通信によりテレビ３２、照明機器３４及び又はエアコン３６へ送信し、所定の盗難対処制御を行う。
【００４７】
（スマート掃除ロボットの導入環境）
図１において、住宅にはスマート掃除ロボット１０を導入しており、スマート掃除ロボット１０は、予め設定した時間スケジュール又は利用者の操作指示を受け付け、予め記憶した掃除経路に従った自立走行により、搭載した吸塵部の駆動で床面のダストを吸引除去する掃除作業を行う。また掃除作業を行わない場合は、住宅の所定箇所に配置した充電ステーションに留まっており、充電ステーションで充電端子をステーション側に接続し、搭載した電池電源の充電を行っている。
【００４８】
図２はスマート掃除ロボット１０を導入した住宅の部屋割りの一例を示した見取り図であり、例えば、リビング兼用ダイニングＬＤの片隅に、充電ステーション（図示せず）を配置した場合、スマート掃除ロボット１０は、そこに移動して充電しながら待機している。
【００４９】
スマート掃除ロボット１０の自立走行による掃除作業は、充電ステーションを起点とした掃除経路を例えば台所、ＬＤ、洋室Ａ〜Ｃ単位にメモリに予め記憶しておき、例えば掃除開始時刻を判別すると、スケジュールに従った部屋に移動し、部屋の隅から往復掃除経路に従って室内を隙間なく自立走行しながらダストを吸引し、もし掃除経路の途中に障害物があれば、超音波センサなどにより障害物を回避する経路を生成しながら自立走行による掃除を行う。
【００５０】
掃除経路の自立走行が終了すると、次の部屋に移動し、所定の掃除経路に沿った自立走行により掃除作業を続ける。掃除作業の途中で電池電源の低下を検出した場合には、充電ステーションに戻って充電を行い、充電完了後に、掃除を中断した位置に戻って自立走行による掃除作業を続ける。
【００５１】
またスマート掃除ロボット１０は、充電ステーションから作業する部屋へ移動する場合の経路、作業終了や充電のため充電ステーションに戻る経路は、壁際に沿って走行する壁際経路を記憶しており、この壁際経路に従った自立走行により充電ステーションと各部屋の間を行き来する。
【００５２】
またスマート掃除ロボット１０は無線ＬＡＮ通信機能を備えており、これに対応して住宅には、図１に示すように、アクセスポイント（固定局）として機能する無線ルータ１２を配置し、内部ネットワークとして無線ＬＡＮの通信環境を構築している。
【００５３】
無線ルータ１２はゲートウェイ１４に接続し、ゲートウェイ１４からインターネット１６を介して、スマート掃除ロボット１０に関連した各種のサービスを提供するサーバ１８との通信接続を可能とする。またサーバ１８は携帯電話ネットワーク２０を経由して利用者の保有するスマートフォン等の携帯電話２２との通信接続を可能としている。
【００５４】
ここで、アクセスポイント（固定局）として機能する無線ＬＡＮ通信機能を備えた携帯電話２２は、住宅内では、無線ルータ１２を経由することなく、スマート掃除ロボット１０と携帯電話２２との間で無線ＬＡＮによる通信接続を可能とする。
【００５５】
また携帯電話２２は、予め携帯電話２２にインストールしたロボット操作用のアプリケーションを使用し、携帯電話２２の画面操作により、スマート掃除ロボット１０の掃除作業の開始や停止操作、カメラによる撮像操作などを遠隔的に行うことを可能としている。
【００５６】
サーバ１８には、住宅に導入したスマート掃除ロボット１０による掃除制御、カメラ制御等に対応した制御等所定のサービス機能を設けている。サーバ１８のサービス機能としては、例えばスマート掃除ロボット１０と携帯電話２２との間の通信交換サービス、スマート掃除ロボット１０によるセンシングデータの解析、携帯電話２２からスマート掃除ロボット１０への指示の伝達などがある。
【００５７】
更に、本実施形態の警報システムにあっては、サーバ１８が盗難異常の検出に基づく盗難検出信号を受信した場合に、所定の盗難対処処理を行う機能を設けている。
【００５８】
このサーバ１８の盗難対処処理の機能は、開閉検出器２４から送信された盗難検出信号を、ネッワークを経由して受信した場合に、利用者の携帯電話２２へ盗難報知信号を送信すると共に、ネットワークを経由してスマート掃除ロボット１０へ移動指示信号を送信することにより盗難を検出した監視領域へスマート掃除ロボット１０を移動させ、移動完了信号を受信した場合に前述した（１）〜（３）ように盗難対処指示信号を送信することにより、スマート掃除ロボット１０に所定の盗難対処制御を行わせる。
【００５９】
（開閉検出器と防犯監視装置の配置）
図１において、住宅の各部屋の外に面した窓や引き戸などの開閉部２５には、不審者の侵入に伴う盗難を検出する異常検出手段として、例えば開閉検出器２４を設置している。開閉検出器２４は、検出器本体を例えば内側に位置する引き戸の合わせ部分の戸枠に固定し、これに対向して他方の引き戸の戸枠にマグネットを配置し、引き戸を開閉する場合のマグネットによる磁気の低下を検出器本体で検出し、防犯監視装置２６から警戒モード設定信号を受信して警戒状態にある場合に、所定の第１通信プロトコルに従った盗難検出信号を無線により防犯監視装置２６へ送信する。なお、閉検出器２４は警戒解除状態では盗難検出信号は送信しない。
【００６０】
防犯監視装置２６は例えばリビングなどの操作し易く且つ見易い位置に配置している。防犯監視装置２６は例えば外出する場合に、外出警戒モードのセット操作を行うことで警戒状態となり、外出警戒モードに移行したことを示す警戒モード設定信号を開閉検出器２４へ送信して警戒状態に移行させると共に、警戒モード設定信号を中継アダプタ２８、無線ルータ１２、ゲートウェイ１４インターネット１６を経由してサーバ１８へ送信する。防犯監視装置２６は警戒状態で開閉検出器２４の何れかから盗難検出信号を受信した場合、スピーカから盗難警報の警報音を大音量で出力する。
【００６１】
また、防犯監視装置２６に対しては図示しないリモコン装置を設けており、外出する場合に利用者がリモコン装置を携帯し、玄関を出て戸締りした状態で、防犯監視装置２６に対し外出警戒モードのセットを遠隔操作で行い、また、帰宅した場合に、玄関扉を開く前に、外出警戒モードの解除を遠隔操作で行っているような使い方をする。
【００６２】
防犯監視装置２６は、外出警戒モードを解除した場合に、警戒モード解除信号を開閉検出器２４へ送信して警戒解除状態に移行させると共に、警戒モード解除信号を中継アダプタ２８、無線ルータ１２、ゲートウェイ１４インターネット１６を経由してサーバ１８へ送信する。
【００６３】
また、防犯監視装置２６に対し外出警戒モードのセット操作をおこなった際、所定の遅延時間経過後に外出警戒モードに移行するようにしておけば、防犯監視装置２６の操作後に前記遅延時間内に玄関を出て戸締まりをすればよく、前記リモコン装置は不要となる。
【００６４】
また、防犯監視装置２６のセット操作に伴う在宅中の警戒状態への切替えとなる在宅警戒モードの設定は、就寝する場合に行うようにしても良い。在宅警戒モードへ警戒状態が切り替わった際は前述同様、防犯監視装置２６は開閉検出器２４及びサーバ１８へ警戒モード設定信号を送信し、また在宅警戒モードを解除した場合は警戒モード解除信号を開閉検出器２４及びサーバ１８へ送信する。
【００６５】
開閉検出器２４と防犯監視装置２６の間は所定の第１通信プロトコルに従った通信経路１１となり、開閉検出器２４はこの通信経路１１を介して盗難警報システムに固有なグループ符号を含めた盗難検出信号を送信する。
【００６６】
（中継アダプタの配置とスマート掃除ロボットとの連携）
図１の警報システムは、盗難警報システムの開閉検出器２４をスマート掃除ロボット１０と連携するため、例えば開閉検出器２４に対応して中継アダプタ２８を配置している。中継アダプタ２８は、開閉検出器２４から受信した第１通信プロトコルに従った盗難検出信号を無線ＬＡＮ通信プロトコルとなる第２通信プロトコルに従った盗難検出信号に変換し、当該盗難検出信号をアクセスポイントとなる無線ルータ１２、ゲートウェイ１４、インターネット１６となる経路のネットワークを経由してサーバ１８へ送信し、サーバ１８からスマート掃除ロボット１０へ所定の動作を指示する信号を送信する。
【００６７】
（サーバの盗難対処機能）
サーバ１８には、住宅に導入したスマート掃除ロボット１０による掃除制御、カメラ制御等に対応した所定のサービス機能に加え、開閉検出器２４との連携に伴い所定の盗難対処機能を設けている。
【００６８】
サーバ１８は、開閉検出器２４から送信した盗難検出信号を、ネットワークを経由して受信すると、盗難対処機能により、盗難報知情報を含む盗難報知信号を生成し、当該盗難報知信号を利用者の携帯電話２２へ送信する。この盗難報知信号を受信した携帯端末２２は盗難報知示画面の表示やスピーカからの発音出力等により盗難警報を出力する。
【００６９】
またサーバ１８は、開閉検出器２４から送信した盗難検出信号を、ネットワークを経由して受信した場合、盗難を検出した開閉検出器２４を設置している監視領域となる部屋の所定の監視ポイントへスマート掃除ロボット１０を移動させるために移動指示信号を送信する。
【００７０】
ここで、サーバ１８から送信する移動指示信号は、携帯電話２２を利用して利用者がサーバ１８に予め登録した間取りマップに基づいて生成する。
【００７１】
まず、利用者は、携帯電話２２に予めインストールした間取りマップ作成アプリケーションを使用して、例えば図２に示す見取り図に対応した間取りマップを生成してサーバ１８に登録する。
【００７２】
携帯電話２２で生成する間取りマップは、図２の監視領域となるＬＤ、洋室Ａ〜Ｃ、台所、洗面室の各々について、部屋の形と部屋に配置しているロボット移動の妨げとなる家具や機器の配置を登録し、また、リモコン制御の対象とするテレビ、照明器具、エアコン戸等の家電機器の配置を登録し、更に、盗難を検出した場合にスマート掃除ロボット１０が盗難対処制御ために移動する監視ポイントＰ１〜Ｐ５を決めて登録する。
【００７３】
ここで監視ポイントＰ０は充電ステーションであり、原点となる。また監視ポイントＰ１〜Ｐ５は、監視領域となる部屋にスマート掃除ロボット１０を移動指示信号に基づき移動した場合、侵入者を威嚇する所定の盗難対処制御を行うためにスマート掃除ロボット１０に搭載したリモコンユニット３０からのリモコン信号の赤外線通信により家電機器をリモコン制御可能な場所（位置）に設定する。例えば監視ポイントＰ１〜Ｐ５は部屋全体が見渡せてリモコンユニット３０からの赤外線が家電機器に到達可能な位置に設定する。
【００７４】
原点Ｐ０から監視ポイントＰ１〜Ｐ５へ移動するための経路情報は、原点Ｐ０を起点に監視ポイントＰ１〜Ｐ５の至る点線で示す直線経路と変針点を設定し、直線経路の走行距離と変針点の変針方向及び変針角度とを組み合わせた情報を生成し、サーバ１８に送信して登録する。
【００７５】
また、原点Ｐ０から監視ポイントＰ１〜Ｐ５に移動する経路情報の生成は、リモコンによりスマート掃除ロボット１０を実際に移動させる操作を行い、このときの走行駆動部５４の走行制御情報（直線経路の走行距離と変針点の変針方向及び変針角度の組合せ）を取得し、サーバ１８に送信して登録するようにしても良い。
【００７６】
このように監視ポイントＰ１〜Ｐ５を設定した間取りマップをサーバ１８に登録した状態で、サーバ１８が盗難を検出した特定の開閉検出器２４から盗難検出信号を受信した場合、盗難検出信号に含まれる送信元ＩＤから間取りマップの対応する監視ポイントを特定し、特定した監視ポイントへ原点Ｐ０から移動するための経路情報を含む移動指示信号を生成し、ネットワークを介してスマート掃除ロボット１０へ送信する。
【００７７】
サーバ１８は、スマート掃除ロボット１０へ移動指示信号を送信した後に、スマート掃除ロボット１０からネットワークを経由して移動完了信号を受信した場合、スマート掃除ロボット１０へ盗難対処指示信号を送信し、所定の盗難対処制御を行わせる。
【００７８】
（サーバが送信する盗難対処指示信号）
サーバ１８から送信する盗難対処指示信号には、スマート掃除ロボット１０に設けたリモコンユニット３０から家電機器へ盗難対処制御のために送信するリモコン信号を生成するためのリモコンコードを含めて送信する。
【００７９】
家電機器のリモコン制御に使用するリモコン信号は、カスタムコードとデータコードでリモコンコードを構成している。カスタムコードはテレビ、照明機器、エアコンといった家電機器の種別を特定する識別情報であり、データコードは家電機器の動作、例えばテレビの場合は電源オン、電源オフ、音量調整、チャンネル切替えといった動作を指示する情報である。例えば家電製品協会の信号フォーマットの場合、２０ビットのカスタムコードと任意長のデータコードで構成される。
【００８０】
サーバ１８は、侵入者を威嚇するように家電機器の動作を指示するため、例えば図３に示すように、テレビ、照明機器、エアコンに分けて、カスタムコードとデータコードの組合せからなる対処指示リストをメモリに予め登録している。
【００８１】
図３（Ａ）は、侵入者を威嚇するようにテレビの動作を指示するテレビ対処指示リストＡであり、カスタムコードを「テレビ」とし、これにデータコードとして例えば、「電源オン」、「音量最大」、３回の「チャンネル切替」、「音量ノーマル」、「電源オフ」を順番に登録している。
【００８２】
図３（Ｂ）は、侵入者を威嚇するように照明機器の動作を指示する照明対処指示リストＢ１であり、カスタムコードを「照明機器」とし、これにデータコードとして例えば、「点灯」と「消灯」を順番に登録している。
【００８３】
図３（Ｃ）は、侵入者を威嚇するように照明機器の動作を指示する別の照明対処指示リストＢ２であり、明るさを調整可能なＬＥＤを用いた照明機器を対象としており、カスタムコードを「照明機器」とし、これにデータコードとして例えば、「点灯」、２回の「照度最大」と「照度最小」、「消灯」を順番に登録している。
【００８４】
図３（Ｄ）は、侵入者を威嚇するようにエアコンの動作を指示するエアコン対処指示リストＣであり、カスタムコードを「エアコン」とし、これにデータコードとして例えば、「運転開始」、「風量最大」、「風量最小」、「風量最大」、「運転停止」を順番に登録している。
【００８５】
サーバ１８は、盗難対処指示信号を送信する場合は、テレビ対処指示リストＡ、照明対処指示リストＢ１、Ｂ２、エアコン対処指示リストＣの各々につき、その先頭から一定の時間間隔又はランダムに設定した時間間隔でカスタムコードとデータコードを読み出してリモコンコードを生成し、これを盗難対処指示信号に含めてスマート掃除ロボット１０へ送信する。また、サーバ１８は盗難対処指示信号の送信を、所定回数又は所定時間、繰り返す。
【００８６】
また、サーバ１８は図３のように複数種類の家電機器の対処指示リストを登録している場合、例えば、テレビ、照明、エアコンの順番にリストを読み出して生成した盗難対処指示信号を送信しても良いし、テレビ、照明、エアコンにおけるリスト項目を交互に順番に読み出して生成した盗難対処指示信号を送信するようにしても良い。
【００８７】
なお、図３の盗難対処指示リストは一例であり、侵入者を威嚇することを可能とする適宜の家電機器とその動作の組合せによる盗難対処指示信号を生成して送信することができる。
【００８８】
［スマート掃除ロボット１０の構成］
図４はスマート掃除ロボットの機能構成の概略を示したブロック図である。図４において、スマート掃除ロボット１０は、制御部３８、アンテナ４２を接続した無線ＬＡＮ通信部４０、カメラ部４４、マイク部４６、スピーカ部４８、操作表示部５０、自立走行センサ部５２、走行駆動部５４、充電部５６、吸塵部５８、ＵＳＢポート６０に接続したリモコン制御手段として機能するリモコンユニット３０を備え、図示しない電池電源により動作する。
【００８９】
制御部３８は、例えばプログラムの実行により実現される機能である。ハードウェアとしてはＣＰＵ、メモリ、ＵＳＢポート６０を含む各種の入出力ポート等を備えたコンピュータ回路等を使用する。
【００９０】
無線ＬＡＮ通信部４０は、無線ルータ１２との間で第２通信プロトコルとなる所定の無線ＬＡＮ通信プロトコルに従って信号を送受信する。この無線ＬＡＮ通信プロトコルは例えばＩＥＥＥ８０２．１１ｂ／ｇに準拠する。また無線ＬＡＮ通信部４０は、住宅内に利用者の携帯電話２２がある場合（無線ＬＡＮ通信可能エリアにある場合）、携帯電話２２が無線ＬＡＮ通信のアクセスポイント機能を備えていれば、無線ルータ１２を経由することなく、携帯電話２２との間で無線ＬＡＮ通信プロトコルに従って信号を送受信する。
【００９１】
カメラ部４４は、撮像光学系、撮像素子、照明用ＬＥＤを備え、制御部３８の指示に基づき、予め定めた例えば４方向の画像を、必要に応じて照明用ＬＥＤを点灯しながら、撮像してサーバ１８へ送信する。
【００９２】
マイク部４６は、制御部３８の指示に基づき、利用者との間で予め定めた音声を認識して音声会話を行うための音声入力を行う。また、部屋内の音声録音や後述する侵入者交渉制御の際に侵入者との会話に使用される。
【００９３】
スピーカ部４８は、スピーカ、その駆動回路を備え、制御部３８の指示に基づき、利用者との間で予め定めた音声を認識して音声会話を行うための音声出力を行う。また制御部３８の指示に基づき盗難警報音や警告メッセージの出力も行う。
【００９４】
操作表示部５０は、スマート掃除ロボット１０の動作に必要な各種の設定操作、動作に伴う各種表示を行う。また操作表示部５０はリモコン受信部を備え、遠隔操作を受け付ける。
【００９５】
自立走行センサ部５２は、スマート掃除ロボット１０の自立走行に必要な情報を検出するもので、例えば超音波センサ、接触センサ、光学センサなどを使用する。超音波センサは自立走行中の障害物を検出して回避する制御に使用する。接触センサは自立走行中の障害物との接触を検出して反対方向に折り返す制御等に使用する。
【００９６】
光学センサは検出方向を床面に向けて配置し、例えば充電ステーションの床面側に配置した光ビーコンを検出してそれぞれの充電端子を位置合せして接続する制御に使用する。
【００９７】
また自立走行センサ部５２は、階段降り口を検出する階段検出手段として機能する階段センサを備えている。階段センサとしては、ロボット本体の前方下部にローラスイッチを配置し、床面にローラスイッチが接している場合はスイッチオフとなり、階段降り口に差し掛かってローラスイッチが階段降り口で下がるとスイッチオンとなり、これにより階段降り口を検出する。
【００９８】
さらに、スマート掃除ロボット１０は、これ以外に温度センサを備え、温度センサで観測した室内の温度を、携帯電話２２からの確認要求に応じて送信して画面表示させることを可能とする。
【００９９】
走行駆動部５４は、ロボット本体に設けた左右の駆動輪を個別に回転駆動するモータを備え、直進走行は左右の車輪を同一速度で回転駆動し、旋回走行は左右の車輪の一方の回転を早くし、他方の回転を遅くすることで行う。なお、ロボット本体には左右の駆動輪に加え、左右の補助輪を設けている。
【０１００】
充電部５６は充電ステーションに移動して充電端子を相互に接続した状態で、充電ステーションから充電電力を受け、図示しない電池電源を充電する。
【０１０１】
吸塵部５８は、ロボット本体の下面両側に配置したサイドブラシによりゴミを集め、下面中央に配置した回転ブラシによりサイドブラシで集めたゴミを取り込み、内蔵したファンの回転により吸引し、フィルタを通してダストを除去してロボット本体の上方へ排気すると共にフィルタで除去したダストをダストボックスに収納する。
【０１０２】
リモコンユニット３０は、スマート掃除ロボット１０のＵＳＢポート６０に接続している。リモコンユニット３０はコード受信部６２と赤外線送信部６４を備える。コード受信部６２は、制御部３８が無線ＬＡＮ通信部４０を介してサーバ１８から盗難対処指示信号を受信した場合に、これに含まれるカスタムコードとデータコードを組み合わせたリモコンコード信号を、ＵＳＢポート６０を介して送信してくることから、このリモコンコード信号を受信する。
【０１０３】
赤外線送信部６４は、ピーク波長９５０ｎｍ程度の赤外線素子を使用し、マイクロ秒オーダーの明滅パルスをキャリアとし、このキャリアをミリ秒オーダーの周期で点滅し、コード受信部６２で受信したリモコンコード信号のビット列に基づき、キャリアを点滅する間隔や長さを変えることで２進符号化し、リモコン信号として赤外線通信により送信する。
【０１０４】
ここで、リモコンユニット３０から送信する赤外線は指向性をもつことから、制御部３８は走行駆動部５４に旋回動作を指示し、間取りマップに予め登録したリモコン制御の対象とする家電機器の方向に赤外線送信部６４を向けてリモコン信号の送信をおこなうか、その場所で旋回しながらリモコンユニット３０に複数回同じリモコン信号の送信を指示することで、盗難を検出した部屋のどの位置にテレビ、照明機器、エアコンを配置していても、確実にリモコン通信により動作させることができる。
【０１０５】
また、リモコンユニット３０の赤外線送信部６４に指向方向の異なる複数の赤外線素子を設け、同じリモコン信号を複数方向に向けて送信するマルチ通信方式としても良い。また、リモコンユニット３０は、ＵＳＢポート６０の接続ではなく、ロボットに内蔵しても良い。
【０１０６】
制御部３８は、ＣＰＵのプログラム実行などにより実現する機能であり、次の掃除制御、カメラ制御及び盗難対処制御等を行う。
【０１０７】
（掃除制御）
制御部３８による掃除制御には、例えば自動モード、壁際モード、局所モードがある。自動モードはメモリに予め記憶した掃除経路に従って部屋の床を自動で掃除する。壁際モードは、メモリに予め記憶した壁際経路に従って部屋の壁際を集中的に掃除する。局所モードは、メモリに予め記憶した所定半径の床面を例えばスパイラル経路に従って集中的に掃除する。
【０１０８】
また、制御部３８は、利用者が操作したリモコンからの操作信号に基づき、操作表示部５０のリモコン受信部で受信した自動モード、壁際モード又は局所モードに従った掃除制御を行う。
【０１０９】
（カメラ制御）
また、制御部３８は、無線ＬＡＮ通信部４０を介して、サーバ１８から撮像指示信号を受信した場合、カメラ部４４に指示し、撮像動作により予め定めた例えば４方向となる部屋の画像を取得してサーバ１８へ画像データを送信する制御を行い、この制御により送信された画像データはサーバ１８に保存され、利用者の携帯電話２２から要求に対しサーバ１８から画像データを送信して画像表示させる。
【０１１０】
（盗難対処制御）
制御部３８は、開閉検出器２４からの盗難検出信号の受信に基づきサーバ１８が送信した移動指示信号を、無線ＬＡＮ通信部４０を介して受信した場合、走行駆動部５４に指示し、サーバ１８から受信した移動指示信号に含まれる経路情報に基づき、盗難を検出した監視領域となる部屋の監視ポイントに移動させる制御を行う。
【０１１１】
制御部３８は、盗難を検出した部屋の監視ポイントへの到達を検出すると、移動完了信号を生成し、無線ＬＡＮ通信部４０に指示してサーバ１８へ送信させる制御を行い、当該移動完了信号を受信したサーバ１８から盗難対処指示信号を送信させる。
【０１１２】
制御部３８は、無線ＬＡＮ通信部４０を介してサーバ１８が送信した盗難対処指示信号を受信した場合、次の盗難対処制御を行う。
（１）  テレビによる盗難対処制御
（２）  照明機器による盗難対処制御
（３）  エアコンによる盗難対処制御
以下、それそれぞれの盗難対処制御を説明する。
【０１１３】
（テレビによる盗難対処制御）
制御部３８は、無線ＬＡＮ通信部４０を介してサーバ１８が送信した図３（Ａ）のテレビ対処指示リストＡに基づく盗難対処指示信号を受信した場合、リモコンユニット３０に、カスタムコードを「テレビ」，データコードを「電源オン」としたリモコンコード信号を送信し、リモコンユニット３０は受信したリモコンコード信号に基づくリモコン信号を赤外線通信により送信し、テレビの電源をオンする。続いて制御部３８は、同じカスタムコード「テレビ」とし、データコードを「音量最大」、３回の「チャンネル切替え」、「電源オフ」としたリモコン信号を順次送信し、テレビは電源オンに続いて、最大音量となり、続いてチャンネル切り替えを３回行った後に電源オフとなり、更に、これを所定回数又は所定時間繰り返す。
【０１１４】
このようなテレビの盗難対処制御による動作は、通常見ているテレビとはかけ離れた異常な動作であり、例えばテレビが最大音量となり、続いて最大音量でチャンネル切替えが行われることで、侵入者が落ち着いて仕事をするような環境ではなくなり、この状況は住宅の外からも分かることから、侵入者を心理的に追い込み、侵入者に退去を強く促すことが可能となり、盗難による被害を最小限とするか、食い止めることができる。
【０１１５】
（照明機器による盗難対処制御）
制御部３８は、無線ＬＡＮ通信部４０を介してサーバ１８が送信した図３（Ｂ）の照明対処指示リストＢ１に基づく盗難対処指示信号を受信した場合、リモコンユニット３０にカスタムコードを同じ「照明機器」とし、データコードを「点灯」、「消灯」としたリモコンコード信号を順次送信し、リモコンユニット３０は受信したリモコンコード信号に基づくリモコン信号を赤外線通信により送信し、照明機器を点灯し、続いて照明機器を消灯し、これを所定回数又は所定時間繰り返す。
【０１１６】
このような盗難対処制御による照明機器の点灯と消灯の繰り返し行われると、特に夜間には、侵入者が落ち着いて仕事をするような環境ではなくなり、この異常な状況は住宅の外からも分かることから、侵入者を心理的に追い込み、侵入者に退去を強く促すことが可能となり、盗難による被害を最小限とするか、食い止めることができる。
【０１１７】
また、図３（Ｃ）の照明対処指示リストＢ２に基づく盗難対処指示信号を受信した場合には、照明機器の点灯と消灯の間に、照度を最大と最小の間で変化させる制御が加わり、同様に、侵入者を心理的に追い込み、侵入者に退去を強く促すことが可能となる。
【０１１８】
（エアコンによる盗難対処制御）
制御部３８は、無線ＬＡＮ通信部４０を介してサーバ１８が送信した図３（Ｄ）のエアコン対処指示リストＣに基づく盗難対処指示信号を受信した場合、リモコンユニット３０にカスタムコードを同じ「エアコン」、データコードを「運転開始」、「風量最大」、「風量最小」、「風量最大」、「運転停止」としたリモコンコード信号を順次送信し、リモコンユニット３０は受信したリモコンコード信号に基づくリモコン信号を赤外線通信により送信し、エアコンの運転を開始し、続いて風量が最大、最小、最大と切り替わった後に運転を停止し、これを所定回数又は所定時間繰り返す。
【０１１９】
このような盗難対処制御によるエアコンの異状な動作の繰り返しは、同様に、侵入者を心理的に追い込んで退去を強く促すことが可能となる。
【０１２０】
（テレビ、照明機器、エアコンによる複合的な盗難対処制御）
制御部３８は、無線ＬＡＮ通信部４０を介してサーバ１８が送信した図３のテレビ、照明機器、及びエアコンの対処指示リストの組合せに基づく盗難対処指示信号を受信した場合、これに対応したリモコンコード信号をリモコンユニット３０に順次送信し、リモコンユニット３０は受信したリモコンコード信号に基づくリモコン信号を赤外線通信により送信し、テレビ、照明機器、エアコンをリモコン信号により複合的に動作し、これを所定回数又は所定時間繰り返すことで、侵入者を更に強く心理的に追い込んで撃退することが可能となる。
【０１２１】
［開閉検出器２４の構成］
図５は開閉検出器２４の機能構成の概略を示したブロック図である。図５において、開閉検出器２４は、制御部７０、磁気検出部７２、アンテナ７８を接続した通信部７６を備え、図示しない電池電源により動作する。
【０１２２】
磁気検出部７２は磁気検出素子として例えばホール素子を備え、外部に配置したマグネット７４の磁気を検出し、例えばマグネット７４との距離が開いてホール素子による磁気検出信号が所定の閾値以下に低下した場合に、異常検出信号として開検出信号を制御部７０に出力する。
【０１２３】
制御部７０は、ハードウェアとしてＣＰＵ、メモリ、各種の入出力ポート等を備えたコンピュータ回路等を使用し、例えばＣＰＵのプログラム実行などにより実現する機能である。
【０１２４】
制御部７０は、初期状態で警戒解除状態にあり、通信部７６を介して防犯監視装置２６から警戒モード設定信号を受信した場合に警戒状態に移行し、警戒状態で磁気検出部７２から開検出信号が得られた場合、通信部７６に指示し、所定の第１通信プロトコルに従った盗難検出信号を生成し、当該盗難検出信号を防犯監視装置７６へ送信させる制御を行う。
【０１２５】
この第１通信プロトコルは、日本国内の場合には、例えば４００ＭＨｚ帯の特定小電力無線局の標準規格として知られたＳＴＤ−３０（小電力セキュリティシステム無線局の無線設備標準規格）又はＳＴＤ−Ｔ６７（特定小電力無線局テレメータ用、テレコントロール用及びデータ伝送用無線設備の標準規格）に準拠する。この盗難検出信号は、送信元を示す送信元ＩＤ、グループＩＤ、事象符号、制御コマンド等を含む形式とする。
【０１２６】
また制御部７０は、警戒状態で通信部７６を介して防犯監視装置２６から警戒モード解除信号を受信した場合は警戒解除状態に移行し、警戒解除状態で磁気検出部７２から開検出信号が得られても異常検出信号の送信は行わない。
【０１２７】
なお、盗難を検出する検出器としては、開閉検出器２４以外に、窓ガラスの破壊に伴う振動を検出する振動検出器や人体から発する赤外線を検出する盗難検出器（人感センサ）など適宜の検出器を含む。
【０１２８】
［防犯監視装置２６の構成］
図６は防犯監視装置２６の機能構成の概略を示したブロック図である。図６において、防犯監視装置２６は、監視制御部８０、アンテナ８４を接続した通信部８２、報知部８６、操作部８８を備え、図示しない電池電源により動作する。
【０１２９】
監視制御部８０は、例えばプログラムの実行により実現される機能である。ハードウェアとしてはＣＰＵ、メモリ、各種の入出力ポート等を備えたコンピュータ回路等を使用する。
【０１３０】
報知部８６は、スピーカ、液晶ディスプレイ及びそれぞれの駆動回路を備え、必要に応じ監視制御部８０の指示によりスピーカから警報音を出力すると共に液晶ディスプレイに外出警戒モードなどの動作状態等の表示を行う。操作部８８は、外出警戒モードを設定する外出スイッチ、在宅警戒モードを設定する在宅スイッチ、各モードの解除スイッチなどの各種スイッチを備える。
【０１３１】
通信部８２は、開閉検出器２４から第１通信プロトコルに従った盗難検出信号を受信する。また通信部８２は、外出警戒モード或いは在宅警戒モードの設定又は解除に伴い、警戒モード設定信号又は警戒モード解除信号を開閉検出器２４へ送信すると共に、中継アダプタ２８を経由してサーバ１８へ警戒モード設定信号又は警戒モード解除信号を送信する。この第１通信プロトコルは、図５の開閉検出器２４に設けた通信部７６の場合と同様である。
【０１３２】
監視制御部８０は、ＣＰＵのプログラム実行などにより実現する機能であり、次の防犯監視制御等を行う。
【０１３３】
（防犯監視制御）
監視制御部８０は、操作部８８による外出警戒モードの設定操作の受付けを検出した場合、防犯監視制御を開始し、開閉検出器２４から盗難検出信号を受信した場合、報知部８６に指示し、大音量で所定の防犯警報音を出力させる。
【０１３４】
また、監視制御部８０は、利用者の就寝する場合に行う操作部８８による在宅警戒モードの設定操作の受付けを検出した場合、防犯監視制御を開始し、開閉検出器２４から盗難検出信号を受信した場合、報知部８６に指示し、大音量で所定の防犯警報音を出力させる。
【０１３５】
また、監視制御部８０は、操作部８８による外出警戒モード又は在宅警戒モードの設定操作の受付け検出した場合、通信部８２に指示し、警戒モード設定信号を開閉検出器２４へ送信して警戒状態へ移行させると共に、中継アダプタ２８を経由してサーバ１８へ警戒モード設定信号を送信させる。
【０１３６】
また、監視制御部８０は、外出警戒モード又は在宅警戒モードによる防犯監視制御中に、操作部８８による解除操作の受付けを検出した場合、防犯監視制御を解除する制御を行い、また、通信部８２に指示し、警戒モード解除信号を開閉検出器２４へ送信して警戒解除状態へ移行させると共に、警戒モード解除信号を中継アダプタ２８を経由してサーバ１８へ送信させる。
【０１３７】
また、監視制御部８０は、通信部８２を介して図示しないリモコン装置から送信した外出警戒モードの設定信号又は解除信号の受信を検出した場合、それぞれに対応して防犯監視制御を開始し、また解除する制御を行い、また通信部８２に指示し、警戒モード解除信号又は警戒モード解除信号を開閉検出器２４へ送信すると共に中継アダプタ２８を経由してサーバ１８へ送信させる。
【０１３８】
［中継アダプタ２８の構成］
図７は中継アダプタ２８の機能構成の概略を示したブロック図である。図７において、中継アダプタ２８は、アンテナ９４を接続した通信部９２、中継制御部９０及びアンテナ９８を接続した無線ＬＡＮ通信部９６を備え、図示しない電池電源により動作する。中継制御部９０は、例えばプログラムの実行により実現される機能である。ハードウェアとしてはＣＰＵ、メモリ、各種の入出力ポート等を備えたコンピュータ回路等を使用する。
【０１３９】
通信部９２は、この第１通信プロトコルは、図５の開閉検出器２４に設けた通信部７６の場合と同様であり、第１通信プロトコルに従った異常検出信号を受信する。無線ＬＡＮ通信部９６は、図４のスマート掃除ロボット１０に設けた無線ＬＡＮ通信部４０の場合と同様であり、第２通信プロトコルである無線ＬＡＮ通信プロトコルに従い、アクセスポイントとなる無線ルータ１２を経由してサーバ１８へ信号を送信する。
【０１４０】
中継制御部９０は、通信部９２を介して受信した開閉検出器２４からの第１通信プロトコルに従った盗難検出信号を、第２通信プロトコルである無線ＬＡＮ通信プロトコルに従った盗難検出信号に変換し、無線ＬＡＮ通信部９６に指示し、無線ルータ１２、ゲートウェイ１４、インターネット１６となる経路のネットワークを経由してサーバ１８へ送信させる制御を行う。
【０１４１】
［防犯監視を対象とする警報システムの動作］
図８は、図１の防犯監視を対象とした警報システムの動作を示したタイムチャートである。なお、図８にあっては、図１に示した防犯監視装置２６、中継アダプタ２８、インターネット１６、携帯電話ネットワーク２０は図示を省略している。
【０１４２】
図１に示す警報システムの運用に先立ち、サーバ１８と携帯電話２２の連携により間取りマップを作成登録する。間取りマップの作成登録は、利用者が携帯電話２２を使用してステップＳ１（以下「ステップ」は省略）でサーバ１８にアクセスし、メニュー画面から間取りマップの作成メニューを選択し、例えば図２に示した見取り図において監視領域となるＬＤ、洋室Ａ〜Ｃ、台所、洗面室の各々につき、部屋の形と部屋に配置している家具や家電機器を決定し、更に、盗難を検出した場合にスマート掃除ロボット１０が盗難対処のために家電機器をリモコン制御するために移動する監視ポイントＰ１〜Ｐ５を決定して間取りマップを作成し、これをサーバ１８へ送信し、Ｓ２で間取りマップをサーバ１８に登録する。
【０１４３】
利用者が外出する場合には、防犯監視装置２６に対しリモコン操作などにより外出警戒モードを設定すると、開閉検出器２４が警戒状態となり、盗難の検出動作を開始する。この状態で、Ｓ３で開閉検出器２４が盗難を検出すると、Ｓ４で盗難検出信号を防犯監視装置２６に送信して盗難警報を出力させると共に、中継アダプタ２８、無線ルータ１２、ゲートウェイ１４、インターネット１６となる経路のネットワークを経由してサーバ１８へ盗難検出信号を送信する。
【０１４４】
開閉検出装置２４からの盗難検出信号を受信したサーバ１８は、Ｓ５で盗難対処処理を実行する。Ｓ５の盗難対処処理は、携帯電話２２へネットワークを経由して盗難報知信号を送信し、携帯電話２２はＳ６で画面表示と警報音出力により、盗難警報報知を行う。
【０１４５】
またサーバ１８は、Ｓ２で登録した間取りマップに基づき、盗難を検出した開閉検出器２４を設置している部屋の監視ポイントへ向う経路情報を含む移動指示信号を、ネットワークを経由してスマート掃除ロボット１０へ送信し、これを受信してスマート掃除ロボット１０は、Ｓ８で盗難を検出した部屋の監視ポイントへ移動し、監視ポイントに到達すると移動完了信号を、ネットワークを介してサーバ１８へ送信する。
【０１４６】
続いてサーバ１８は、Ｓ９で図３に示した家電機器の対処指示リストに基づいて生成した所定の盗難対処制御指示信号を、ネットワークを経由してスマート掃除ロボット１０へ送信する盗難対処指示を行う。サーバ１８が送信した盗難対処指示信号を受信したスマート掃除ロボット１０はＳ１０で、盗難対処指示信号に含まれるカスタムコードとデータコードに基づくリモコン信号をリモコンユニット３０から赤外線通信により送信する。これにより盗難を検出した部屋に設置しているテレビ、照明機器、エアコンなどの家電機器がＳ１１でスマート掃除ロボット１０が送信したリモコン信号を受信して侵入者を威嚇する盗難対処動作を行い、侵入者が居られない状況を作り出し、退去を促す。
【０１４７】
サーバ１８はＳ９の盗難対処指示中にＳ１２で盗難対処指示信号の送信回数又は送信時間を監視しており、所定回数又は所定時間への到達を判別すると、盗難対処指示信号の送信を停止し、家電機器のリモコン制御による盗難対処指示を終了する。
【０１４８】
［火災監視を行う警報システムの構成］
（システム構成の概略）
図９は住宅を例にとって火災監視を行う警報システムの実施形態を示した説明図である。図９に示すように、本実施形態の警報システムは、無線連動型の住警器１００、中継アダプタ２８、リモコンユニット３０を設けたスマート掃除ロボット１０、無線ルータ１２、ゲートウェイ１４、インターネット１６、サーバ１８、携帯電話ネットワーク２０及び携帯電話２２で構成する。
【０１４９】
また住宅には、本実施形態の火災対処制御の制御対象となる家電機器として、リモコン制御機能を備えた照明機器３４を配置している。
【０１５０】
ここで、無線連動型の住警器１００は防犯監視システムを構成し、スマート掃除ロボット１０、無線ルータ１２、ゲートウェイ１４、インターネット１６、サーバ１８、携帯電話ネットワーク２０及び携帯電話２２はロボットシステムを構成している。
【０１５１】
住警器１００は火災を検出する異常検出手段であり、スマート掃除ロボット１０は移動体手段であり、携帯電話２２は利用者端末手段であり、更にサーバ１８はサーバ手段であり、ネットワークを介して相互に信号を送受信する。ネットワークは、火災監視システムのネットワークと、ロボットシステムのネットワークに分かれており、両者は中継アダプタ２８で結合している。ロボットシステムのネットワークは、図１の場合と同様であることから説明を省略する。
【０１５２】
住警器１００は、設置している部屋の温度又は煙濃度を観測し、観測結果が示す温度又は煙濃度に基づいて火災を検出した場合に連動元を示す火災警報音を出力する。また住警器１００の間で連動グループを形成している。住警器１００の間は所定の第１通信プロトコルに従った通信経路１１となり、所定の連動グループ符号を含めた信号を送信することで、連動グループ内での通信を可能とする。
【０１５３】
例えば住警器１００が火災を検知して連動元を示す火災警報を出力した場合、他の住警器へ第１通信プロトコルに従った火災検出信号（火災連動信号）を送信して、これを受信した住警器に、連動先を示す火災警報を出力させる。
【０１５４】
また、住警器１００から送信した第１通信プロトコルに従った火災検出信号は、中継アダプタ２８で第２通信プロトコルに従った火災検出信号に変換され、無線ルータ１２、ゲートウェイ１４及びインターネット１６となる経路のネットワークを介してサーバ１８へ送信される。
【０１５５】
サーバ１８は、住警器１００から送信された火災検出信号を、ネッワークを経由して受信した場合に、利用者の携帯する携帯電話２２へ火災報知信号を送信すると共にインターネット１６、ゲートウェイ１４及び無線ルータ１２となるネットワークを経由してスマート掃除ロボット１０へ移動指示信号を送信することにより、火災対処制御による避難路の照明に使用する照明機器を設置した所定の場所にスマート掃除ロボット１０を移動させ、スマート掃除ロボット１０から移動完了信号を受信すると、サーバ１８はネットワークを経由してスマート掃除ロボット１０へ避難路を照明するために照明機器の点灯を指示する火災対処指示信号を送信する。
【０１５６】
スマート掃除ロボット１０は、サーバ１８からネットワークを経由して移動指示信号を受信した場合に指示された場所へ移動し、移動完了でサーバ１８へ移動完了信号を送信し、続いてサーバ１８からネットワークを経由して火災対処指示信号を受信した場合に、火災対処指示信号に基づくリモコン信号を、通信経路１５で示すように、リモコンユニット３０から赤外線通信により照明機器３４へ送信し、照明機器３４を点灯して避難路を明るくする火災対処制御を行う。
【０１５７】
サーバ１８から送信する移動指示信号は、携帯電話２２を利用して利用者がサーバ１８に予め登録した間取りマップに基づいて生成する。ここで図２に示した住宅の見取り図を例にとると、ＬＤ、洋室Ａ〜Ｃ、台所の各々について住警器を設置していた場合、部屋の形と部屋に配置しているロボット移動の妨げとなる家具や機器の配置を登録すると共に、リモコン制御の対象とする照明器具の配置を登録し、また、火災を検出した場合にスマート掃除ロボット１０が火災対処制御ために移動する場所として例えばＬＤ及び台所は監視ポイントＰ１、洋室Ａ〜Ｃは監視ポイントＰ２，Ｐ３，Ｐ５を決めて登録する。監視ポイントＰ１〜Ｐ３，Ｐ５は部屋全体が見渡せてリモコンユニット３０からの赤外線が照明機器に到達可能な場所にする。
【０１５８】
更に、火災対処制御のために移動する監視ポイントは、照明器具の点灯により避難路を照明することから、火災を検出した部屋以外の避難路となる部屋の監視ポイントとする。例えば洋室Ｃに設置した住警器で火災を検出した場合、火災対処制御のための移動場所となる監視ポイントは、火災を検出している洋室Ｃ以外の場所の監視ポイントＰ１，Ｐ２，Ｐ３を登録する。
【０１５９】
サーバ１８は、照明機器３４の火災対処を指示する場合、照明機器３４を点灯する火災対処指示信号を送信し、避難路を明るく照明する。具体的には、図３（Ｂ）の場合と同様、カスタムコードを「照明機器」とし、データコードを「点灯」としてメモリに予め登録し、地震対処処理によりカスタムコードを「照明機器」とし、データコードを「点灯」としたリモコンコードを含む火災対処指示信号を生成して送信する。
【０１６０】
また、サーバ１８は火災対処制御を必要とする場所が複数存在する場合は、スマート掃除ロボット１０に移動指示信号を送信して次の監視ポイントへ移動させながら、照明機器を点灯する火災対処指示信号の送信を繰り返す。
【０１６１】
このようなサーバ１８によるスマート掃除ロボット１０に対する指示により、火災を検出した場所以外の場所の照明機器を点灯することで避難路を照明し、特に夜間の火災時には避難路を明るくすることで、安全且つ迅速な避難行動を可能とする。
【０１６２】
なお、サーバ１８及びスマート掃除ロボット１０の前述した火災対処制御以外の構成及び機能は、図１の防犯対処制御を行う実施形態の場合と同様であることから、その説明を省略する。
【０１６３】
［住警器の構成］
図１０は無線連動型の住警器１００の機能構成の概略を示したブロック図である。図１０において、住警器１００は、監視制御部１０２、センサ部１０８、アンテナ１０６を接続した通信部１０４、報知部１１０、操作部１１２を備え、図示しない電池電源により動作する。
【０１６４】
監視制御部１０２は、例えばプログラムの実行により実現される機能である。ハードウェアとしてはＣＰＵ、メモリ、各種の入出力ポート等を備えたコンピュータ回路等を使用する。
【０１６５】
センサ部１０８は温度検出部または検煙部である。センサ部１０８として温度検出部を設けた場合、温度検出素子として例えばサーミスタを使用し、この場合、温度による抵抗値の変化に対応した電圧検出信号を監視制御部１０２へ出力する。またセンサ部１０８として検煙部を設けた場合、公知の散乱光式検煙構造をもち、監視制御部１０２の指示により、所定周期で赤外ＬＥＤを用いた発光部を間欠的に発光駆動し、フォトダイオードなどの受光部で受光した散乱光の受光信号を増幅し、煙濃度検出信号を監視制御部１０２へ出力する。
【０１６６】
通信部１０４は、他の住警器及び中継アダプタ２８との間で所定の第１通信プロトコルに従って火災検出信号を送受信する。この第１通信プロトコルは、図５の開閉検出器２４に設けた通信部７６の場合と同様である。火災検出信号は、送信元を示す送信元符号、グループ符号、事象符号、制御コマンド等を含む形式とする。
【０１６７】
報知部１１０は、スピーカ、ＬＥＤ及びそれぞれの駆動回路を備え、必要に応じ監視制御部１０２の指示によりスピーカから警報音を出力すると共にＬＥＤにより警報表示を行う。操作部１１２は警報音及び又は警報表示を停止するための操作を受け付ける警報停止スイッチなどの各種スイッチを備える。
【０１６８】
監視制御部１０２は、ＣＰＵのプログラム実行などにより実現する機能であり、次の火災警報制御、火災復旧制御、及び警報停止制御等を行う。
【０１６９】
（火災警報制御）
監視制御部１０２は、センサ部１０８から出力した温度又は煙濃度の検知信号をＡＤ変換により読み込み、所定の閾値以上の場合に火災を検知し、報知部１１０から連動元を示す火災警報を出力させる制御を行う。この場合の火災警報として例えば「ピー  ピー  ピー  火事です  火事です」といった音声メッセージをスピーカから繰り返し出力すると共にＬＥＤを例えば点灯して行う。
【０１７０】
また、監視制御部１０２は、報知部１１０から火災警報を出力させた場合、第１通信プロトコルに従った火災検出信号を生成し、通信部１０４に指示し、他の住警器及び中継アダプタ２８へ火災検出信号を送信させる制御を行い、当該火災検出信号を受信した他の住警器で連動先を示す火災警報を出力させ、また当該火災検出信号を受信した中継アダプタ２８で第２通信プロトコルの火災検出信号に変換してサーバ１８へ送信させる。
【０１７１】
この場合の他の住警器による連動先を示す火災警報としては例えば「ピー  ピー  ピー  別の警報器が作動しました  確認してください」といった音声メッセージをスピーカから繰り返し出力すると共にＬＥＤを例えば点灯して行う。
【０１７２】
また、監視制御部１０２は、通信部１０４を介して他の住警器が送信した第１通信プロトコルに従った火災検出信号の受信した場合、報知部１１０からの連動先を示す火災警報を出力させる制御を行う。
【０１７３】
（火災復旧制御）
監視制御部１０２は、センサ部１０８の検出信号に基づき温度又は煙濃度が閾値を下回る状態が例えば所定時間継続した場合或いは例えば所定回数連続した場合、火災の復旧（火災検知状態が解消したこと）を検知し、報知部１１０からの連動先を示す火災警報出力を停止させると共に、第１通信プロトコルに従った火災復旧信号を生成し、通信部１０６に指示し、当該火災復旧信号を他の住警器へ送信させる制御を行い、これを受信した他の住警器に、連動先を示す火災警報出力を停止させる。
【０１７４】
また監視制御部１０２は、通信部１０４を介して他の住警器が送信した第１通信プロトコルに従った火災復旧信号を受信した場合に、報知部１１０からの連動先を示す火災警報出力を停止させる制御を行う。
【０１７５】
（警報停止制御）
監視制御部１０２は、連動元として火災警報の出力中に操作部１１２の警報停止スイッチで受け付けた警報停止操作を検知した場合、報知部１１０からの連動元を示す火災警報出力を停止させると共に、第１通信プロトコルに従った警報停止信号を生成し、通信部１０４に指示し、当該警報停止信号を他の住警器へ送信させる制御を行い、これを受信した他の住警器に、連動先を示す火災警報出力を停止させる。
【０１７６】
また監視制御部１０２は、通信部１０４を介して他の住警器が送信した警報停止信号を受信した場合に、報知部１１０からの連動先を示す火災警報出力を停止させる制御を行う。
【０１７７】
なお、住警器１００が送信した火災復旧信号及び警報停止信号を中継アダプタ２８で受信してサーバ１８へ送信し、これを受信したサーバ１８で火災対処制御を終了させるようにしても良い。また、中継アダプタ２８は、図７の場合と同様であることから、その説明を省略する。
【０１７８】
［火災監視を対象とする警報システムの動作］
図１１は、図１０の火災監視を対象とした警報システムの動作を示したタイムチャートである。なお、図１１にあっては、図１０に示した中継アダプタ２８、インターネット１６、携帯電話ネットワーク２０は図示を省略している。
【０１７９】
図１１に示す警報システムの運用に先立ち、サーバ１８と携帯電話２２の連携により図８のＳ１，Ｓ２の場合と同様に、Ｓ１０１，Ｓ１０２で間取りマップを作成登録する。この場合、火災を検出した場合にスマート掃除ロボット１０が火災対処制御として照明機器をリモコン制御するために移動する場所として、火災発生場所以外の場所となる監視ポイントを決定してサーバ１８に登録する。
【０１８０】
警報システムの運用中に、Ｓ１０３で住警器１００が火災を検出すると、火災を検出した住警器１００で連動元を示す火災警報を出力すると共に、他の住警器へ火災検出信号を送信して連動先を示す火災警報を出力させ（図示せず）、更に、Ｓ１０４で中継アダプタ２８、無線ルータ１２、ゲートウェイ１４、インターネット１６となる経路のネットワークを経由してサーバ１８へ火災検出信号を送信する。
【０１８１】
住警器１００からの火災検出信号を受信したサーバ１８は、Ｓ１０５で火災対処処理を実行する。Ｓ１０５の火災対処処理は、携帯電話２２へネットワークを経由して火災報知信号を送信し、携帯電話２２はＳ１０６で画面表示と警報音出力により、火災警報報知を行う。
【０１８２】
またサーバ１８は、Ｓ１０２で登録した間取りマップに基づき、火災を検出した住警器１００を設置している部屋の以外の部屋の監視ポイントへ向う経路情報を含む移動指示信号を、Ｓ１０７でネットワークを経由してスマート掃除ロボット１０へ送信し、これを受信してスマート掃除ロボット１０は、Ｓ１０８で火災を検出している部屋以外の部屋の監視ポイントへ移動し、監視ポイントに到達すると移動完了信号を、ネットワークを介してサーバ１８へ送信する。
【０１８３】
続いてサーバ１８は、Ｓ１０９で照明機器３４の点灯動作を指示するリモコンコードを含む火災対処指示信号を生成し、ネットワークを経由してスマート掃除ロボット１０へ送信する火災対処指示を行う。サーバ１８が送信した火災対処指示信号を受信したスマート掃除ロボット１０は、Ｓ１１０で火災対処指示信号に含まれるリモコンコードに基づく照明点灯のリモコン信号をリモコンユニット３０から赤外線通信により送信する。これにより移動先となる部屋や廊下に設置している照明機器３４がＳ１１１でスマート掃除ロボット１０が送信したリモコン信号を受信して点灯し、避難路を明るく照明する。
【０１８４】
サーバ１８はＳ１１３で全ての監視ポイントでの火災対処指示が終了したか否か判別しており、終了していない場合はＳ１０７に戻って次の監視ポイントへの移動を指示する移動指示信号をスマート掃除ロボット１０へ送信し、移動完了信号を受信するとＳ１０８で照明点灯を指示する火災対処指示信号の送信を繰り返し、Ｓ１１３で全ての監視ポイントに移動した場合の火災対処指示信号の送信を判別すると、家電機器のリモコン制御による火災対処処理を終了する。
【０１８５】
［地震監視を行う警報システムの構成］
（システム構成の概略）
図１２は住宅を例にとって地震監視を行う警報システムの実施形態を示した説明図である。図１２に示すように、本実施形態の警報システムは、緊急警報受信機２００、中継アダプタ２８、リモコンユニット３０を設けたスマート掃除ロボット１０、無線ルータ１２、ゲートウェイ１４、インターネット１６、サーバ１８、携帯電話ネットワーク２０及び携帯電話２２で構成する。
【０１８６】
また住宅には、本実施形態の火災対処制御の制御対象となる家電機器として、リモコン制御機能を備えたテレビ３２と照明機器３４を配置している。
【０１８７】
ここで、スマート掃除ロボット１０、無線ルータ１２、ゲートウェイ１４、インターネット１６、サーバ１８、携帯電話ネットワーク２０及び携帯電話２２はロボットシステムを構成している。
【０１８８】
緊急警報受信機２００は地震情報を検出する異常検出手段であり、スマート掃除ロボット１０は移動体手段であり、携帯電話２２は利用者端末手段であり、更にサーバ１８はサーバ手段であり、ネットワークを介して相互に信号を送受信する。緊急警報受信機２００は、ロボットシステムのネットワークに中継アダプタ２８で結合している。ロボットシステムのネットワークは、図１の場合と同様であることから説明を省略する。
【０１８９】
ここで、テレビ受信機やＦＭ又はＡＭ受信機により受信する緊急情報放送には、緊急地震速報（ＥＥＷ：Ｅａｒｔｈｑｕａｋｅ  Ｅａｒｌｙ  Ｗａｒｎｉｎｇ）と緊急警報放送（ＥＷＳ：Ｅｍｅｒｇｅｎｃｙ  Ｗａｒｎｉｎｇ  Ｓｙｓｔｅｍ）がある。緊急地震速報は、一般向けの場合、推定最大震度５弱以上で気象庁から発表される警報であり、強い揺れが予想される地域に対し、地震動により重大な災害が起こるおそれのある旨を警告する放送である。緊急地震速報は例えば「（チャイム音２回）緊急地震速報です。強い揺れに警戒してください。・・・・・」といった放送を繰り返す。
【０１９０】
緊急警報放送は、地震などの大規模災害が発生した場合や、津波警報が発表された場合などに行われる警報であり、待機状態にあるテレビやラジオ受信機のスイッチを自動的にオンさせる。緊急警報放送の開始と終了には、第１種開始信号、第２種開始信号及び終了信号を使用する。
【０１９１】
第１種開始信号は、東海地震の警戒宣言が発表された場合、または自治体の知事や長から避難指示が発動された場合などに送信され、受信機を自動的にオンさせる。また、第２種開始信号は、津波警報が発表された場合にのみ送信され、同じ受信機を自動的にオンさせる。
【０１９２】
終了信号は第１種または第２種開始信号の送信から所定時間後に送信され、受信機を自動的にオフさせる。また受信機の動作を確認するために試験信号を例えば月１回所定の時刻に送信しており、この試験信号は終了信号と同一であり、終了信号のみを受信した場合は受信機が正常に動作するかの確認動作を行わせる。
【０１９３】
緊急警報受信機２００は例えばＦＭ放送を受信解析し、放送信号中に緊急地震速報、緊急警報放送又は津波警報放送が検出された場合に受信放送を再生出力すると共に、所定の第１通信プロトコルに従って地震検出信号を、通信経路１１で示すように、中継アダプタ２８へ送信する。
【０１９４】
緊急警報受信機２００から送信された第１通信プロトコルに従った地震検出信号は中継アダプタ２８で第２通信プロトコルに従った地震検出信号に変換され、無線ルータ１２、ゲートウェイ１４及びインターネット１６となる経路のネットワークを介してサーバ１８へ送信される。
【０１９５】
サーバ１８は、緊急警報受信機２００から送信された地震検出信号を、ネッワークを経由して受信した場合に、利用者の携帯する携帯電話２２へ地震報知信号を送信すると共にインターネット１６、ゲートウェイ１４及び無線ルータ１２となるネットワークを経由してスマート掃除ロボット１０へ移動指示信号を送信することにより、火災対処制御により動作する電気機器としてテレビ３２及び照明機器３４を設置した所定の場所にスマート掃除ロボット１０を移動させる。
【０１９６】
サーバ１８から送信する移動指示信号は、携帯電話２２を利用して利用者がサーバ１８に予め登録した間取りマップに基づいて生成する。ここで図２に示した住宅の見取り図を例にとると、ＬＤ、洋室Ａ〜Ｃ、台所の各々について住警器を設置していた場合、部屋の形と部屋に配置しているロボット移動の妨げとなる家具や機器の配置を登録すると共に、地震対処制御の対象とするテレビ及び照明器具の配置を登録し、また、地震を検出した場合にスマート掃除ロボット１０が地震対処制御ために移動する場所として例えばＬＤ及び台所は監視ポイントＰ１、洋室Ａ〜Ｃは監視ポイントＰ２，Ｐ３，Ｐ５を決めて登録する。監視ポイントＰ１〜Ｐ３，Ｐ５は部屋全体が見渡せてリモコンユニット３０からの赤外線がテレビ及び照明機器に到達可能な場所に設定する。
【０１９７】
サーバ１８は、移動指示信号を送信した後に、スマート掃除ロボット１０から移動完了信号を受信すると、サーバ１８はテレビ３２及び照明機器３４に所定の地震対処制御を指示する地震対処指示信号を、ネットワークを経由してスマート掃除ロボット１０へ送信する。
【０１９８】
サーバ１８は、テレビ３２に地震対処を指示する場合、テレビ３２の電源をオンする地震対処指示信号を送信し、テレビ放送を受信して地震情報を視聴可能とする。具体的は、図３（Ａ）の場合と同様、カスタムコードを「テレビ」とし、データコードを「電源オン」としてメモリに予め登録し、地震対処処理によりカスタムコードを「テレビ」とし、データコードを「電源オン」としたリモコンコード信号を含む地震対処指示信号を生成して送信する。
【０１９９】
このようなサーバ１８からのスマート掃除ロボット１０に対する地震対処指示によりテレビ３２の電源をオンし、例えば地震による強い揺れで身動きできない状態にあっても、テレビ３２の電源が入って地震情報を視聴することができる。
【０２００】
サーバ１８は、照明機器３４に地震対処を指示する場合、照明機器３４を点灯する地震対処指示信号を送信し、避難路を明るく照明する。具体的には、図３（Ｂ）の場合と同様、カスタムコードを「照明機器」とし、データコードを「点灯」としてメモリに予め登録し、地震対処処理によりカスタムコードを「照明機器」とし、データコードを「点灯」としたリモコンコード信号を含む地震対処指示信号を生成して送信する。
【０２０１】
また、サーバ１８は地震対処制御を行う照明機器３４の監視ポイントが複数存在する場合は、スマート掃除ロボット１０に移動指示信号を送信して次の監視ポイントへ移動させて照明機器３４の点灯を指示する地震対処指示信号の送信を繰り返す。
【０２０２】
このようなサーバ１８によるスマート掃除ロボット１０に対する指示により照明機器３４を点灯して避難路を照明し、特に夜間に地震が発生した場合には避難路を明るくすることで、安全且つ迅速な避難行動を可能とする。
【０２０３】
なお、サーバ１８及びスマート掃除ロボット１０の前述した地震対処制御以外の構成及び機能は、図１の防犯対処制御を行う実施形態の場合と同様であることから、その説明を省略する。
【０２０４】
［緊急警報受信機の構成］
図１３は緊急警報受信機２００の機能構成の概略を示したブロック図である。図１３において、緊急警報受信機２００は、警報制御部２０２、アンテナ２０６を接続した放送受信部２０４、音声増幅部２０８、スピーカ２１０、表示部２１６、操作部２１８、アンテナ２１４を接続した通信部２１２を備え、図示しない電源回路部にＡＣ１００Ｖを入力して各部に直流電源を供給している。また停電時に電源をバックアップする１次電池または２次電池を備えた予備電源も備える。
【０２０５】
放送受信部２０４は操作部２１８の操作で選局した放送局にチューナを同調してその放送電波をアンテナ２０６により受信し、放送信号を復調して音声信号として出力する。音声増幅部２０８は待機状態で動作を停止しており、そのためスピーカ２１０から受信された放送の再生出力は行わない。なお、放送受信部２０４による受信放送は、ＦＭ放送、ＡＭ放送、ＴＶ放送の何れかとする。
【０２０６】
通信部２１２は、中継アダプタ２８へ所定の第１通信プロトコルに従って地震検出信号を送信する。この第１通信プロトコルは、図５の開閉検出器２４に設けた通信部７６の場合と同様である。
【０２０７】
警報制御部２０２は、ハードウェアをＣＰＵ、メモリ、各種の入出力ポート等を備えたコンピュータ回路等とし、ＣＰＵのプログラム実行により実現する機能である。警報制御部２０２は、放送受信部２０４で受信した放送信号の解析処理により、緊急地震速報、緊急警報放送、又は津波警報放送の受信を検出した場合、音声増幅部２０８を動作状態に切り替え、その時、ＦＭ受信部２０４で受信した放送内容をスピーカ２１０から再生出力する制御を行う。
【０２０８】
また警報制御部２０２は、緊急地震速報信号の受信を検出した場合、緊急地震速報信号の放送内容をスピーカ２１０から再生出力する制御を行う。
【０２０９】
また警報制御部２０２は、緊急地震速報、緊急警報放送、又は津波警報放送の受信を検出した場合、通信部２１２に指示し、第１通信プロトコルに従った地震検出信号を送信する制御を行い、当該地震検出信号は中継アダプタ２８で第２通信プロトコルに従った地震検出信号に変換され、無線ルータ１２、ゲートウェイ１４及びインターネット１６となる経路のネットワークを経由してサーバ１８へ送信される。
【０２１０】
［地震監視を対象とする警報システムの動作］
図１４は、図１３の地震監視を対象とした警報システムの動作を示したタイムチャートである。なお、図１４にあっては、図１２に示した中継アダプタ２８、インターネット１６、携帯電話ネットワーク２０は図示を省略している。
【０２１１】
図１４に示す警報システムの運用に先立ち、サーバ１８と携帯電話２２の連携により図８のＳ１，Ｓ２の場合と同様に、Ｓ２０１，Ｓ２０２で間取りマップを作成登録する。この場合、地震情報を検出した場合にスマート掃除ロボット１０がテレビ３２及び照明機器３４をリモコン制御するために移動する場所となる監視ポイントを決定してサーバ１８に登録する。
【０２１２】
警報システムの運用中に、Ｓ２０３で緊急警報受信機２００が地震情報として緊急地震速報、緊急警報放送又は津波警報放送を検出すると、緊急警報受信機２００から受信放送を再生出力すると共に、Ｓ２０４で地震検出信号を送信し、当該地震検出信号を中継アダプタ２８、無線ルータ１２、ゲートウェイ１４、インターネット１６となる経路のネットワークを経由してサーバ１８へ送信する。
【０２１３】
緊急警報受信機２００からの地震検出信号を受信したサーバ１８は、Ｓ２０５で地震対処処理を実行する。Ｓ２０５の地震対処処理は、携帯電話２２へネットワークを経由して地震報知信号を送信し、携帯電話２２はＳ２０６で画面表示と警報音出力により、地震警報報知を行う。
【０２１４】
またサーバ１８は、Ｓ２０２で登録した間取りマップに基づき、テレビ３２及び又は照明機器３４を設置している部屋の監視ポイントへ向う経路情報を含む移動指示信号を、Ｓ２０７でネットワークを経由してスマート掃除ロボット１０へ送信し、これを受信してスマート掃除ロボット１０は、Ｓ２０８で例えばテレビ３２を設置している部屋の監視ポイントへ移動し、監視ポイントに到達すると移動完了信号を、ネットワークを介してサーバ１８へ送信する。
【０２１５】
続いてサーバ１８は、Ｓ２０９でテレビ３２の電源オンを指示するリモコンコードを含む地震対処指示信号を生成し、ネットワークを経由してスマート掃除ロボット１０へ送信する地震対処指示を行う。サーバ１８が送信した地震対処指示信号を受信したスマート掃除ロボット１０は、Ｓ２１０で地震対処指示信号に含まれるリモコンコードに基づく電源オンのリモコン信号をリモコンユニット３０から赤外線通信により送信する。これにより移動先となる部屋に設置しているテレビ３２がＳ２１１でスマート掃除ロボット１０が送信したリモコン信号を受信して電源をオンし、テレビ放送を受信して地震情報を視聴可能とする。
【０２１６】
またサーバ１８がＳ２０９で照明器具３４の点灯を指示するリモコンコードを含む地震対処制御指示信号を送信した場合、これを受信したスマート掃除ロボット１０は、Ｓ２１０で地震対処指示信号に含まれるリモコンコードに基づく点灯指示のリモコン信号をリモコンユニット３０から赤外線通信により送信し、これにより移動先となる部屋に設置している照明器具３４がＳ２１３で点灯し、避難路を明るく照明し、夜間に地震が発生した場合、地震による揺れが収まった後に安全且つ迅速に避難することを可能とする。
【０２１７】
サーバ１８はＳ２１２で全ての監視ポイントでの地震対処指示が終了したか否か判別しており、終了していない場合はＳ２０７に戻って次の監視ポイントへの移動を指示する移動指示信号をスマート掃除ロボット１０へ送信し、移動完了信号を受信するとＳ２１３で照明点灯を指示する地震対処指示信号の送信を繰り返し、Ｓ２１２で全ての監視ポイントに対する地震対処指示信号の送信を判別すると、家電機器のリモコン制御による地震対処指示を終了する。
【０２１８】
（地震検出器）
図１２の地震対処制御を行う警報システムにあっては、緊急警報受信機２００により緊急地震速報、緊急警報放送又は津波警報放送を受信して地震検出信号を送信しているが、緊急警報受信機２００に代えて、地震検出器を設けても良い。
【０２１９】
地震検出部はセンサ部、制御部及び通信部で構成する。センサ部は地震による振動（揺れ）を検出して振動検出信号を出力するもので、例えば地震に伴う横揺れ及び縦揺れを検知する加速度センサや、移動する内蔵の球体でスイッチ接点をオンして検知する機械式の地震センサ等を使用する。通信部は図１３の通信部２１２と同じになる。
【０２２０】
制御部は、ハードウェアをＣＰＵ、メモリ、各種の入出力ポート等を備えたコンピュータ回路等とし、ＣＰＵによるプログラム実行などにより実現する機能であり、センサ部から出力された振動検出信号が所定レベルを超えた場合、通信部に指示し、第１通信プロトコルに従った地震検出信号を生成して送信する制御を行い、当該地震検出信号は中継アダプタで第２通信プロトコルに従った地震検出信号に変換され、無線ルータ１２、ゲートウェイ１４、インターネット１６となる経路のネットワークを経由してサーバ１８へ送信される。
【０２２１】
［本発明の変形例］
（家電機器による異常対処制御）
上記の実施形態にあっては、監視領域の異常として、盗難、火災、地震を検出してサーバへ送信し、サーバからの指示によるスマート掃除ロボットのリモコン制御により家電機器を動作して異常に対処する制御を行っているが、本発明はこれに限定されず、これ以外にガス漏れ、非常呼出など適宜の異常を検出し、サーバの指示によりスマート掃除ロボットから家電機器をリモコン制御により動作して異常に対処する制御を行うようにしても良い。
【０２２２】
（侵入検出器の種類）
上記の実施形態にあっては、異常検出手段として窓や引き戸などの開閉部に設置する開閉検出器による侵入者検出を行っているが、本発明はこれに限定されず、これ以外に人体検出器や赤外線センサなどによる侵入者検出を行っても良い。
【０２２３】
（ネットワーク）
上記の実施形態にあっては、開閉検出器、住警器、緊急警報受信機等の異常検出手段からの異常検出信号を、中継アダプタ、無線ルータ、ゲートウェイ、インターネットとなるネットワークを経由してサーバへ送信しているが、スマート掃除ロボットを含むネットワーク、即ち中継アダプタ、無線ルータ、スマート掃除ロボット、無線ルータ、ゲートウェイ、インターネットとなるネットワークを経由して異常検出手段から異常検出信号をサーバへ送信しても良い。この場合、中継アダプタは送信先としてスマート掃除ロボットを設定し、またスマート掃除ロボットは異常検出手段からの異常検出信号を受信した場合に、サーバを送信先として異常検出信号を送信する。
【０２２４】
また、上記の実施形態にあっては、住宅内における警報システムの通信を第１通信プロトコルとし、ロボットシステムの通信を無線ＬＡＮの第２通信プロトコルとし、異なった通信プロトコルとしているが、例えば異常警報システムについても、ロボットシステムと同じ無線ＬＡＮ通信プロトコルとすることで、中継アダプタ２８を不要することができる。
【０２２５】
また、上記実施形態にあっては、サーバで受信した異常検出信号は携帯電話ネットワークを経由して利用者端末手段である携帯電話へ通知しているが、サーバで受信した異常検出信号をインターネットや公衆電話回線を経由して警備会社等へ通知するようにしても良い。
【０２２６】
（対象施設）
また、上記の実施形態は、住宅の異常監視を例にとるものであったが、住宅に限定されず、オフィスビル、病院、学校、介護施設など適宜の施設の異常監視に適用することができる。
【０２２７】
例えばオフィスビル、病院、学校、介護などの施設で火災対処制御を行う場合には、施設に設置している火災報知設備の受信機が火災を受信した場合に出力する移報信号を、火災検出信号として中継アダプタ、無線ルータ、ゲートウェイ、インターネットとなるネットワークを経由してサーバへ送信し、スマート掃除ロボットのリモコン制御による照明機器の点灯を行って避難路を照明すれば良い。
【０２２８】
（電源）
また、上記の実施形態では、電池電源によって動作する開閉検出器、防犯監視装置、住警器、中継アダプタ等を例に取っているが、電池電源以外の電源で動作するものにも本発明を適用できる。
【０２２９】
（その他）
また、本発明は上記の実施形態に限定されず、その目的と利点を損なうことのない適宜の変形を含み、更に上記の実施形態に示した数値による限定は受けない。
【符号の説明】
【０２３０】
１０：スマート掃除ロボット
１２：無線ルータ
１４：ゲートウェイ
１６：インターネット
１８：サーバ
２０：携帯電話ネットワーク
２２：携帯電話
２４：開閉検出器
２６：防犯監視装置
２８：中継アダプタ
３０：リモコンユニット
３２：テレビ
３４：照明機器
３６：エアコン
３８：制御部
４０，９６：無線ＬＡＮ通信部
４４：カメラ部
４６：マイク部
４８：スピーカ部
５０：操作表示部
５２：自立走行センサ部
５４：走行駆動部
５６：充電部
５８：吸塵部
６０：ＵＳＢポート
６２：コード受信部
６４：赤外線送信部
７０：制御部
７２：磁気検出部
７４：マグネット
７６，８２，９２，１０４，２１２：通信部
８０，１０２：監視制御部
８６，１１０：報知部
８８，１１２：操作部
９０：中継制御部
１００：住警器
１０８：センサ部
２００：緊急警報受信機
２０２：警報制御部
２０４：放送受信部
【図１】
2014153972.tif 000003
【図２】
2014153972.tif 000004
【図３】
2014153972.tif 000005
【図４】
2014153972.tif 000006
【図５】
2014153972.tif 000007
【図６】
2014153972.tif 000008
【図７】
2014153972.tif 000009
【図８】
2014153972.tif 000010
【図９】
2014153972.tif 000011
【図１０】
2014153972.tif 000012
【図１１】
2014153972.tif 000013
【図１２】
2014153972.tif 000014
【図１３】
2014153972.tif 000015
【図１４】
2014153972.tif 000016